(57)【要約】【課題】レジストレーションの展開時に、所望のパラメータについては現在設定されている値をそのまま維持することができるようにする。【解決手段】記憶媒体に記憶されたレジストレーションを電子楽器に展開するレジストレーション展開手段と、現在設定されている楽音演奏の値を固定する演奏値固定手段とを設け、前記レジストレーション展開手段は、前記演奏値固定手段により固定されている以外のレジストレーションを展開するようにして、演奏者が簡単な操作を行うことにより、現在設定している値をレジストレーション値に変換されないようにする。【選択図】図１
2008015100.tif 000002
【特許請求の範囲】
【請求項１】
レジストレーションスイッチに割り当てられたレジストレーションを記憶媒体から読み出して電子楽器に設定するレジストレーションの展開機能を有する電子楽器において、
前記記憶媒体に記憶されたレジストレーションを電子楽器に展開するレジストレーション展開手段と、
現在設定されている楽音演奏の値を固定する演奏値固定手段とを有し、
前記レジストレーション展開手段は、前記演奏値固定手段により固定されている以外のレジストレーションを展開することを特徴とする電子楽器。
【請求項２】
前記演奏値固定手段により固定される演奏値はボリュームであることを特徴とする請求項１に記載の電子楽器。
【請求項３】
前記演奏値固定手段により固定された楽音演奏の値を解除する演奏値解除手段を有することを特徴とする請求項１または２に記載の電子楽器。
【請求項４】
前記演奏値固定手段により演奏値が固定されていることを表示する演奏値固定表示手段を有することを特徴とする請求項１〜３の何れか１項に記載の電子楽器。
【請求項５】
前記演奏値固定表示手段はＬＥＤにより構成されていて、固定状態または非固定状態に応じて表示色を変化させることを特徴とする請求項４に記載の電子楽器。
【請求項６】
レジストレーションスイッチに割り当てられたレジストレーションを記憶媒体から読み出して電子楽器に設定するレジストレーションの展開方法において、
前記記憶媒体に記憶されたレジストレーションを電子楽器に展開するレジストレーション展開工程と、
現在設定されている楽音演奏の値を固定する演奏値固定工程とを有し、
前記レジストレーション展開工程は、前記演奏値固定工程において固定されている以外のレジストレーションを展開することを特徴とするレジストレーションの展開方法。
【請求項７】
前記演奏値固定工程において固定される演奏値はボリュームであることを特徴とする請求項６に記載のレジストレーションの展開方法。
【請求項８】
前記演奏値固定工程において固定された楽音演奏の値を解除する演奏値解除工程を有することを特徴とする請求項６または７に記載のレジストレーションの展開方法。
【発明の詳細な説明】
【技術分野】
【０００１】
本発明は電子楽器及びレジストレーションの展開方法に関し、特に、記憶装置に記憶されたレジストレーションを読み込み、スイッチ操作で読み出すことができる電子楽器のレジストレーション読み出し装置に用いて好適な技術に関する。
【背景技術】
【０００２】
従来、電子楽器では、ボリューム、音色、リズムパターン、効果等の演奏データを予め設定しておき、これを読み出して楽音発生の条件として使用するように構成している。これら、演奏のために電子楽器に予め設定されるデータをレジストレーションと呼んでいる。
【０００３】
例えば、ボリュームの設定には、複数のボリュームに対応したボリュームスイッチが設けられており、このボリュームスイッチを操作することにより、複数のボリュームの中から所望のボリューム値が電子楽器に設定される。例えば、「ピアノ」、「ギター」、「ベース」等のように、個々の音色のボリュームに対応したボリュームスイッチが設けられている。
【０００４】
しかし、電子楽器で再現できるボリュームは数が多いので、すべてのボリュームに対応してボリュームスイッチを設けることは操作パネルのサイズや操作の煩雑さを考慮した場合、現実には困難である。そこで、あらかじめ同系統の複数のボリュームを共通のボリュームグループとして記憶させておき、この複数のボリュームのうちから一つだけを任意に選択してボリュームスイッチに割り当てるようにしている。
【０００５】
このようにして、少ない数のボリュームスイッチで多くのボリュームを選択することができるようにしている。例えば、ピアノグループとして、グランドピアノ、アップライトピアノ、電気ピアノ、及び古典ピアノ等を記憶させておき、ピアノスイッチに、これら「ピアノグループ」に含まれるボリュームの中から任意の一つ、例えば「古典ピアノ」を割り当てる。このように設定されたピアノスイッチを操作することにより「古典ピアノ」のボリュームを電子楽器に設定することができるようにしている。
【０００６】
具体的には、ピアノグループの各ボリューム毎に番号を割り当て、この番号をピアノスイッチに対応して記憶させる。例えば、グランドピアノ(１)、アップライトピアノ（２）、電気ピアノ（３）、及び古典ピアノ（４）という具合に番号を割り当てる。そして、例えば、古典ピアノを選択する場合、ピアノスイッチに番号(４)を記憶させる。
【０００７】
このようなレジストレーションの設定内容を、ソングデータつまり曲データとともにフロッピディスクやＣＤ−ＲＯＭ等の外部記憶媒体に記憶し、任意に再現するようにすることが考えられる。例えば、特許文献１には、電子楽器の外部記憶装置が記載されている。この外部記憶装置では、記憶させたレジストレーションを電子楽器に送信する際に、外部記憶装置に記憶されているデータフォーマットが送信先の内部フォーマットと異なる場合、記憶されているレジストレーションのデータフォーマットを送信先の電子楽器で用いる内部フォーマットに変更して記憶するようにしている。
【０００８】
外部記憶媒体にレジストレーションと曲データを演奏情報として記憶させ、それを電子楽器で再現する場合、次のような問題点が生じることがある。例えば、外部記憶媒体に記憶されたデータは電子楽器やパソコン等の編集機能を使用して編集されることがあり、この編集によってデータが書き替えられることがある。
【０００９】
また、外部記憶媒体は、その記憶内容が事故等によって変わってしまうことがあり得る。例えば、ピアノスイッチに番号（４）を記憶させてあったものが、番号（５）に書き替わってしまう等、記憶されていたスイッチとレジストレーションとの対応関係が変わってしまうことがある。
【００１０】
このように書き替えられた記憶状態を外部記憶媒体から電子楽器に読み込んだ場合、ピアノスイッチを操作したときに、ピアノスイッチには予定されていない番号（５）が読み取られるので、電子楽器は正しく動作しないということが起こる。
【００１１】
このような不都合を防止するために、特許文献２に記載の「電子楽器のレジストレーション読み出し装置」においては、レジストレーションスイッチに割り当てられたレジストレーションを外部記憶媒体から読み出して電子楽器に設定する電子楽器のレジストレーション 読み出し装置において、前記読み出されたレジストレーションが、前記レジストレーションスイッチに割り当てられる予定の複数のレジストレーションの一つであるか否かにより、正常なレジストレーションであるか否かを判別する判別工程を設け、レジストレーションスイッチの割り当てに対応しない予定外のデータが読み込まれたときの電子楽器の誤動作を防止できるようにしている。
【００１２】
【特許文献１】特開平６−１９５８８３号公報
【特許文献２】特開２００３―３０２９７０号公報
【発明の開示】
【発明が解決しようとする課題】
【００１３】
前記特許文献２に記載の電子楽器のレジストレーション読み出し装置によれば、多くの設定パラメータを演奏時に瞬時に呼び出すことができる。また、レジストレーションスイッチの割り当てに対応しない予定外のデータが読み込まれたときの電子楽器の誤動作を防止することができる。
【００１４】
しかしながら、その記憶・読み出し内容の設定は、リアルタイム操作ではなく、メニュー内部に入っていって行う手間の要する設定操作を行わなければならない場合があった。また、記憶・読み出し設定を自由に変更することができない場合があり、１つの機能のみを簡単に変更することができない問題点があった。
【００１５】
本発明は前述の問題点にかんがみ、レジストレーションの展開時に、所望のパラメータについては簡単な操作を行うだけで、現在設定されている値をそのまま維持することがでるようにすることを目的としている。
【課題を解決するための手段】
【００１６】
本発明の電子楽器は、レジストレーションスイッチに割り当てられたレジストレーションを記憶媒体から読み出して電子楽器に設定するレジストレーションの展開機能を有する電子楽器において、前記記憶媒体に記憶されたレジストレーションを電子楽器に展開するレジストレーション展開手段と、現在設定されている楽音演奏の値を固定する演奏値固定手段とを有し、前記レジストレーション展開手段は、前記演奏値固定手段により固定されている以外のレジストレーションを展開することを特徴とする。
また、本発明の電子楽器の他の特徴とするところは、前記演奏値固定手段により固定される演奏値はボリュームであることを特徴とする。
また、本発明の電子楽器のその他の特徴とするところは、前記演奏値固定手段により固定された楽音演奏の値を解除する演奏値解除手段を有することを特徴とする。
また、本発明の電子楽器のその他の特徴とするところは、前記演奏値固定手段により演奏値が固定されていることを表示する演奏値固定表示手段を有することを特徴とする。
また、本発明の電子楽器のその他の特徴とするところは、前記演奏値固定表示手段はＬＥＤにより構成されていて、固定状態または非固定状態に応じて表示色を変化させることを特徴とする。
【００１７】
本発明のレジストレーションの展開方法は、レジストレーションスイッチに割り当てられたレジストレーションを記憶媒体から読み出して電子楽器に設定するレジストレーションの展開方法において、前記記憶媒体に記憶されたレジストレーションを電子楽器に展開するレジストレーション展開工程と、現在設定されている楽音演奏の値を固定する演奏値固定工程とを有し、前記レジストレーション展開工程は、前記演奏値固定工程において固定されている以外のレジストレーションを展開することを特徴とする。
また、本発明のレジストレーションの展開方法の他の特徴とするところは、前記演奏値固定工程において固定される演奏値はボリュームであることを特徴とする。
また、本発明のレジストレーションの展開方法のその他の特徴とするところは、前記演奏値固定工程において固定された楽音演奏の値を解除する演奏値解除工程を有することを特徴とする。
【発明の効果】
【００１８】
本発明によれば、記憶媒体に記憶されたレジストレーションを電子楽器に展開するレジストレーション展開手段と、現在設定されている楽音演奏の値を固定する演奏値固定手段とを設け、前記レジストレーション展開手段は、前記演奏値固定手段により固定されている以外のレジストレーションを展開するようにしたので、演奏者が簡単な操作を行うだけで、現在設定している値をレジストレーション値に変換されることなくそのまま維持することができる。
【発明を実施するための最良の形態】
【００１９】
（第１の実施形態）
以下、図面を参照して本発明を詳細に説明する。図１は、本発明の一実施形態に係る電子鍵盤楽器のハード構成を示すブロック図である。
図１において、バスライン１８には、ＣＰＵ１、プログラムメモリ２、楽音波形メモリ３、ＲＡＭ４、パネルインタフェース回路５、鍵盤インタフェース回路６、自動演奏データメモリ７、ディスクインタフェース回路９、及び音源装置１０が接続されている。
【００２０】
パネルインタフェース回路５には操作パネル１１が、鍵盤インタフェース回路６には鍵盤装置１２が、ディスクインタフェース回路９にはフロッピディスク駆動装置（ＦＤＤ）１３がそれぞれ接続されている。また、音源装置１０にはＤ／Ａ変換器１４、アナログ信号処理装置１５、及びアンプ１６を介してサウンドシステム１７が接続されている。音源装置１０は、複数の楽音を同時発生できるよう複数の楽音発生チャンネルを備え、例えば、正弦波加算方式で楽音を合成する。さらに、ＣＰＵ１はＭＩＤＩインタフェース回路８を介して別の電子楽器など外部装置に接続されている。
【００２１】
プログラムメモリ２にはＣＰＵ１で処理されるプログラムが格納され、楽音波形メモリ３には楽音波形データが格納され、自動演奏データメモリ７には自動演奏データが格納されている。これらメモリ２，３，７はＲＯＭによって構成できる。ＲＡＭ４はＣＰＵ１がプログラムを実行する際の各種データを一時記憶するワークエリアや、操作パネル１１の操作によって設定されるボリュームや効果等、レジストレーションの記憶エリアとして使用される。
【００２２】
操作パネル１１はタッチパネルやレジストレーションスイッチ等各種スイッチ及びボリューム、ならびにＬＥＤなどの表示灯からなり、例えば、鍵盤装置１２に隣接して設けられているコントロールパネル上に配置される。
【００２３】
ＣＰＵ１は前記プログラム、ならびに鍵盤装置１２から入力されたキー情報及び操作パネル１１から入力されたボリューム、テンポ、リズム等に基づいて楽音発生部としての音源装置１０を制御し、楽音波形メモリ３から読み出した波形データに基づいて楽音信号を発生させる。
【００２４】
自動演奏モードでは、鍵盤装置１２から入力されるキー情報に代えて、自動演奏データメモリ７に格納された自動演奏データが使用される。音源装置１０で発生された楽音信号はＤ／Ａ変換器１４でアナログ信号に変換される。アナログ信号は、アナログ信号処理装置１５で効果付与等の信号処理が施された後、アンプ１６を介してサウンドシステム１７に供給される。
【００２５】
続いて、上記電子鍵盤楽器におけるレジストレーションの一つであるボリュームの設定について説明する。
図３は、操作パネル１１（図２を参照）に設けられている音量スイッチの例を示す図である。
【００２６】
本実施形態においては、ボリュームスイッチの例としてベース音量スイッチＢＡＳＳ、下側音量スイッチＬＯＷＥＲ、及び上側音量スイッチＵＰＰＥＲが設けられている。そして、それぞれの音量スイッチに隣接して表示灯３１、３２、３３が設けられている。例えば、ベース音量スイッチＢＡＳＳが押されたときに表示灯３１が点灯状態を変化させて表示される。そして、本実施形態においては、発音量に応じた点灯表示を行っている。本実施形態においては、図７の表示灯の点灯状態説明図に示すように、発音量を最大値から最小値までを１３段階に区切り、設定している音量に応じた個数と色のＬＥＤを点灯表示させるようにしている。
【００２７】
図３は、レジスト展開ボタン２０が押されたときの操作パネル１１における表示灯３１、３２、３３の表示例を示す図である。図３において、（Ａ）は通常動作の場合の表示例を示しており、図３（ａ）は現在の音量状態を示し、ベース音量スイッチＢＡＳＳ、下側スイッチＬＯＷＥＲ及び上側音量スイッチＵＰＰＥＲの設定状態を示す表示灯３１、３２、３３は１０段階目の音量にそれぞれ設定されている状態を示している。
【００２８】
このような状態において、レジスト展開ボタン２０が押されると、図３（Ａ）における（ａ）に示すように、音色、音量、リズムパターン、効果等に関して予め設定されたデータが読み出されて楽音発生の条件として設定される。図３に示した例では、ベース音量スイッチＢＡＳＳは「音量レベル１２」に設定される。また、下側音量スイッチＬＯＷＥＲは「音量レベル５」に設定され、上側音量スイッチＵＰＰＥＲは「音量レベル９」に設定される。
【００２９】
前述は、レジスト展開ボタン２０が押された場合に行われる通常の動作であるが、本実施形態においては、現在の設定値を変更したくないパラメータについては、レジスト展開ボタン２０を押してレジストレーションを実行しても、変更されないようにすることができるようにしている。
【００３０】
すなわち、図３（Ｂ）に示すように、（イ）の状態において下側音量スイッチＬＯＷＥＲについて上下両方のボタンを押すとロック状態とすることができる。これにより、図３（Ｂ）において（ロ）に示すように、下側音量スイッチＬＯＷＥＲについてはロック状態とすることができる。ロックされたポジションは表示灯（ＬＥＤ）３２の色を変える、例えば赤色→黄色に変えることにより操作者に認識させることができる。
【００３１】
この状態において、レジスト展開ボタン２０を押してレジストレーション展開が行われると、図３（Ｂ）において（ハ）に示すように、「音量レベル１０」であったベース音量スイッチＢＡＳＳは「音量レベル１２」に変更され、「音量レベル１０」であった上側音量スイッチＵＰＰＥＲは「音量レベル９」に変更される。それに対して、「音量レベル１０」にロックされている下側音量スイッチＬＯＷＥＲは、レジストレーション展開が行われても「音量レベル１０」が維持されている。
【００３２】
この状態において、下側音量スイッチＬＯＷＥＲの上ボタンまたは下ボタンのどちらかを押すと、図３（Ｂ）において（ニ）に示すように、レジストレーションロック状態を解除することができる。
【００３３】
次に、図４のフローチャートを参照しながらメイン処理について説明する。
メインスイッチがＯＮされると、ステップＳ４１において初期化処理が行われる。この処理は、ハードディスクやメモリ上の記録内容を消去し、使い始めの状態に戻すことであり、「イニシャライズ」と呼ばれている処理である。
【００３４】
初期化処理が終了すると、次に、ステップＳ４２に進み、イベントが発生したか否かを判断する。この判断の結果、イベントが発生している場合にはステップＳ４３に進み、発生したイベントを処理し、その後、ステップＳ４４に進んでその他の処理を行う。また、ステップＳ４２の判断の結果、イベントが発生していなければステップＳ４３の処理を行わずにステップＳ４４にジャンプしてその他の処理を行う。
【００３５】
次に、ステップＳ４３で行われるイベント処理の一例について、図５のフローチャートを参照しながら説明する。
イベント処理が開始されると、先ず、ステップＳ５１において、レジスト展開ボタン２０が押されたか否かを判断する。この判断の結果、レジスト展開ボタン２０が操作された場合にはステップＳ５２に進み、レジストレーション展開を実行する。
【００３６】
一方、ステップＳ５１の判断の結果、レジスト展開ボタン２０が操作されていない場合にはステップＳ５３に進み、ボリュームロック操作が行なわれているか否かを判断する。この判断の結果、ボリュームロック操作が行われている場合にはステップＳ５４に進み、ロックフラグをセットする処理を実行する。
【００３７】
一方、ステップＳ５３の判断の結果、ボリュームロック操作が行なわれていない場合にはステップＳ５５に進み、ボリュームロック解除操作が行われたか否かを判断する。この判断の結果、ボリュームロック解除操作が行われた場合にはステップＳ５６に進みロックフラグをリセットする。また、ステップＳ５５の判断の結果、ボリュームロック解除操作が行われていない場合にはステップＳ５７に進み、その他の処理を行う。
【００３８】
次に、ステップＳ５２で行われるレジスト展開処理の一例を、図６のフローチャートを参照しながら説明する。
レジスト展開処理が開始されると、先ず、ステップＳ６１において、ｉ層のパラメータ値が初期値「０」に設定され、ステップＳ６２においてｊ層のパラメータ値が初期値「０」に設定される。
【００３９】
次に、ステップＳ６３においてボリュームロック操作が行なわれているか否かを判断する。この判断の結果、ボリュームロック操作が行われていない場合にはステップＳ６４に進み、Ｐａｒ［ｉ］［ｊ］←Ｒｅｇ［ｉ］［ｊ］にセットする処理を行い、その後ステップＳ６５に進む。また、ステップＳ６３の判断の結果、ボリュームロック操作が行なわれている場合にはステップＳ６４をジャンプしてステップＳ６５に直接進む。
【００４０】
ステップＳ６５においては、パラメータ値［ｊ］をインクリメントし、その後、ステップＳ６６において、［ｊ］の値がパラメータ値のフル値か否かを判断する。この判断の結果、フルでなかった場合にはステップＳ６３に戻って前述した処理を繰り返し行う。
【００４１】
また、ステップＳ６６の判断の結果、パラメータ値［ｊ］がフルであった場合にはステップＳ６７に進み、値［ｉ］をインクリメントする。その後、ステップＳ６８において、値［ｉ］がブロック番号（フルの値）か否かを判断する。この判断の結果、フルでなかった場合にはステップＳ６２に戻って前述した処理を繰り返し行う。また、ステップＳステップＳ６８の判断の結果、フル値であった場合にはステップＳ６９に進み、ボリュームロックの解除処理を行う。
【００４２】
なお、ステップＳ６９において行う解除処理は、必ずしもこのステップで行なわなければならない必要はなく、例えば、キーイベントが所定の時間に亘って発生しなければ解除処理が自動的に行われるようにしてもよい。
（本発明に係る他の実施形態）
前述した本発明の実施形態における録音装置を構成する各工程、並びに録音方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４３】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４４】
なお、本発明は、前述した実施形態の機能を実現するソフトウェアのプログラム（実施形態では図４〜図６に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４６】
その場合、プログラムの機能を有していれば、オブジェクトコード、インタプリタにより実行されるプログラム、ＯＳに供給するスクリプトデータ等の形態であってもよい。
【００４７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００４８】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００４９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５１】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５３】
【図１】本発明の実施形態を示し、電子楽器の概略構成を説明するブロック図である。
【図２】実施形態を示し、操作パネルの一例を示す図である。
【図３】音量操作スイッチを操作してレジストレーション展開を受けずにロックする様子を説明する図である。
【図４】メイン処理の手順を説明するフローチャートである。
【図５】イベント処理の手順を説明するフローチャートである。
【図６】レジスト展開処理の手順を説明するフローチャートである。
【図７】表示灯の点灯状態を説明する図である。
【符号の説明】
【００５４】
１  ＣＰＵ
２  プログラムメモリ
３  楽音波形メモリ
４  ＲＡＭ
５  パネルインタフェース回路
６  鍵盤インタフェース回路
７  自動演奏データメモリ
８  ＭＩＤＩインタフェース回路
９  ディスクインタフェース回路
１０  音源装置
１１  操作パネル
１２  鍵盤装置
１３  フロッピディスク駆動装置（ＦＤＤ）
１４  Ｄ／Ａ変換器
１５  アナログ信号処理装置
１６  アンプ
１７  サウンドシステム
１８  バスライン
２０  レジスト展開ボタン
ＢＡＳＳ  ベース音量スイッチ
ＬＯＷＥＲ  下側音量スイッチ
ＵＰＰＥＲ  上側音量スイッチ
３１、３２、３３  表示灯
【図１】
2008015100.tif 000003
【図２】
2008015100.tif 000004
【図３】
2008015100.tif 000005
【図４】
2008015100.tif 000006
【図５】
2008015100.tif 000007
【図６】
2008015100.tif 000008
【図７】
2008015100.tif 000009